(57)【要約】【課題】ローカルＩＰアクセス接続解放方法及びＭＲＮを提供する。【解決手段】本発明は、ＭＲＮがユーザ装置（ＵＥ）のローカルＩＰアクセスパケットデータネットワーク（ＬＩＰＡ  ＰＤＮ）接続を解放する必要があるかどうかを判定し、必要がある場合、前記ＵＥのＬＩＰＡ  ＰＤＮ接続を解放することをローカルゲートウェイ（Ｌ−ＧＷ）に要求し、必要がない場合、前記ＵＥのＬＩＰＡ  ＰＤＮ接続を解放することをＬ−ＧＷに要求しないことを含むローカルＩＰアクセス接続解放方法及び移動中継ノード（ＭＲＮ）を開示する。本発明により、移動中継ノードがＬＩＰＡをサポートする場合で、ＭＲＮの切り替えプロセスにおけるＵＥのＬＩＰＡ接続の連続性を保証し、さらにＵＥのＬＩＰＡサービスの連続性を保証し、ユーザのサービス品質とユーザ体験を向上させることができる。【選択図】図４
2016502796.tif 000002
【特許請求の範囲】
【請求項１】
ローカルＩＰアクセス接続解放方法であって、
移動中継ノード（ＭＲＮ）がユーザ装置（ＵＥ）のローカルＩＰアクセスパケットデータネットワーク（ＬＩＰＡ  ＰＤＮ）接続を解放する必要があるかどうかを判定し、必要がある場合、前記ＵＥの前記ＬＩＰＡ  ＰＤＮ接続を解放することをローカルゲートウェイ（Ｌ−ＧＷ）に要求し、必要がない場合、前記ＵＥの前記ＬＩＰＡ  ＰＤＮ接続を解放することを前記Ｌ−ＧＷに要求しないことを含むローカルＩＰアクセス接続解放方法。
【請求項２】
前記ＭＲＮが前記ＵＥの前記ＬＩＰＡ  ＰＤＮ接続を解放する必要があるかどうかを判定することは、
前記ＭＲＮが、前記ＵＥが他の基地局におけるセルから前記ＭＲＮにおけるセルへの切り替えプロセスにあるかどうかを判定し、ある場合、前記ＵＥの前記ＬＩＰＡ  ＰＤＮ接続を解放する必要があると確定し、ない場合、前記ＵＥの前記ＬＩＰＡ  ＰＤＮ接続を解放する必要がないと確定することを含むことを特徴とする
請求項１に記載のローカルＩＰアクセス接続解放方法。
【請求項３】
前記ＭＲＮが前記ＵＥの前記ＬＩＰＡ  ＰＤＮ接続を解放する必要があるかどうかを判定した後のステップとして、当該方法は、
前記ＭＲＮが前記ＵＥのために経路切り替え要求プロセスを開始し、前記ＵＥの前記ＬＩＰＡ  ＰＤＮ接続を解放する必要があるかどうかの判定結果を指示しない第１の経路切り替え要求メッセージをドナーｅＮＢに送信することと、
前記ドナーｅＮＢが、前記第１の経路切り替え要求メッセージを受信した後、第２の経路切り替え要求メッセージを移動管理エンティティに送信することと、
前記移動管理エンティティがベアラ変更要求メッセージ又はセッション作成要求メッセージであるＳ１１インターフェースメッセージを前記ＵＥのサービスゲートウェイに送信することとをさらに含むことを特徴とする
請求項１に記載のローカルＩＰアクセス接続解放方法。
【請求項４】
前記ＭＲＮが前記ＵＥの前記ＬＩＰＡ  ＰＤＮ接続を解放する必要があるかどうかを判定した後のステップとして、当該方法は、
前記ＭＲＮが前記ＵＥのために経路切り替え要求プロセスを開始し、そして第３の経路切り替え要求メッセージによりＬＩＰＡ接続解放判定指示を送信することと、
前記ドナーｅＮＢが、前記第３の経路切り替え要求メッセージを受信した後、前記第３の経路切り替え要求メッセージに前記ＬＩＰＡ接続解放判定指示が含まれると、第４の経路切り替え要求メッセージにより移動管理エンティティに送信することと、
前記移動管理エンティティが前記ＬＩＰＡ接続解放判定指示に応じて前記ＵＥの前記ＬＩＰＡ  ＰＤＮ接続が解放される必要があるかどうかを判定することとをさらに含むことを特徴とする
請求項１に記載のローカルＩＰアクセス接続解放方法。
【請求項５】
前記移動管理エンティティが前記ＬＩＰＡ接続解放判定指示に応じて前記ＵＥの前記ＬＩＰＡ  ＰＤＮ接続が解放される必要があるかどうかを判定することは、
前記移動管理エンティティにより受信された前記ＬＩＰＡ接続解放判定指示が前記ＵＥの前記ＬＩＰＡ  ＰＤＮ接続を解放する必要があることを指示する場合、前記ＵＥの前記ＬＩＰＡ  ＰＤＮ接続を解放する必要があると確定することと、
前記移動管理エンティティにより受信された前記ＬＩＰＡ接続解放判定指示が前記ＵＥの前記ＬＩＰＡ  ＰＤＮ接続を解放する必要がないことを指示し、又は前記移動管理エンティティが前記ＬＩＰＡ接続解放判定指示を受信しない場合、前記ＵＥの前記ＬＩＰＡ  ＰＤＮ接続を解放する必要がないと確定することとを含むことを特徴とする
請求項４に記載のローカルＩＰアクセス接続解放方法。
【請求項６】
前記移動管理エンティティが前記ＬＩＰＡ接続解放判定指示に応じて前記ＵＥの前記ＬＩＰＡ  ＰＤＮ接続が解放される必要があるかどうかを判定した後のステップとして、当該方法は、
前記ＵＥの前記ＬＩＰＡ  ＰＤＮ接続が解放されなく、且つ前記移動管理エンティティが前記ＵＥの前記ＬＩＰＡ  ＰＤＮ接続が解放される必要があると判定した場合、前記移動管理エンティティが前記経路切り替え要求を拒絶し、そして前記ＵＥを離脱させることと、
前記ＵＥの前記ＬＩＰＡ  ＰＤＮ接続が解放されなく、且つ前記移動管理エンティティが前記ＵＥの前記ＬＩＰＡ  ＰＤＮ接続が解放される必要がないと判定した場合、前記移動管理エンティティがベアラ変更要求メッセージ又はセッション作成要求メッセージであるＳ１１インターフェースメッセージを前記ＵＥのサービスゲートウェイに送信することとをさらに含むこととを特徴とする
請求項４又は５に記載のローカルＩＰアクセス接続解放方法。
【請求項７】
前記Ｌ−ＧＷは、前記ＭＲＮに内蔵されることを特徴とする
請求項１〜５のいずれか１項に記載のローカルＩＰアクセス接続解放方法。
【請求項８】
ユーザ装置（ＵＥ）のローカルＩＰアクセスパケットデータネットワーク（ＬＩＰＡ  ＰＤＮ）接続を解放する必要があるかどうかを判定するように配置される判定モジュールと、
前記判定モジュールが前記ＵＥの前記ＬＩＰＡ  ＰＤＮ接続を解放する必要があると判定した場合、前記ＵＥの前記ＬＩＰＡ  ＰＤＮ接続を解放することをローカルゲートウェイ（Ｌ−ＧＷ）に要求し、前記判定モジュールが前記ＵＥの前記ＬＩＰＡ  ＰＤＮ接続を解放する必要がないと判定した場合、前記ＵＥの前記ＬＩＰＡ  ＰＤＮ接続を解放することを前記Ｌ−ＧＷに要求しないように配置される実行モジュールと、を含む移動中継ノード（ＭＲＮ）。
【請求項９】
前記判定モジュールは、前記ＵＥが他の基地局におけるセルから前記ＭＲＮにおけるセルへの切り替えプロセスにあるかどうかを判定し、ある場合、前記ＵＥの前記ＬＩＰＡ  ＰＤＮ接続を解放する必要があると確定し、ない場合、前記ＵＥの前記ＬＩＰＡ  ＰＤＮ接続を解放する必要がないと確定するように配置されることを特徴とする
請求項８に記載のＭＲＮ。
【請求項１０】
前記ＭＲＮは、前記判定モジュールが前記ＵＥの前記ＬＩＰＡ  ＰＤＮ接続を解放する必要があると判定した後、前記ＵＥのために経路切り替え要求プロセスを開始し、前記ＵＥの前記ＬＩＰＡ  ＰＤＮ接続を解放する必要があるかどうかの判定結果を指示しない第１の経路切り替え要求メッセージをドナーｅＮＢに送信するように配置される経路切り替え要求送信モジュールをさらに含み、
それに応じて、前記ドナーｅＮＢは、前記第１の経路切り替え要求メッセージを受信した後、第２の経路切り替え要求メッセージを移動管理エンティティに送信し、
前記移動管理エンティティは、ベアラ変更要求メッセージ又はセッション作成要求メッセージであるＳ１１インターフェースメッセージを前記ＵＥのサービスゲートウェイに送信することを特徴とする
請求項８に記載のＭＲＮ。
【請求項１１】
前記ＭＲＮは、前記判定モジュールが前記ＵＥの前記ＬＩＰＡ  ＰＤＮ接続を解放する必要があるかどうかを判定した後、前記ＵＥのために経路切り替え要求プロセスを開始し、そして第３の経路切り替え要求メッセージによりＬＩＰＡ接続解放判定指示を送信するように経路切り替え要求送信モジュールをさらに含み、
それに応じて、前記ドナーｅＮＢは、前記第３の経路切り替え要求メッセージを受信した後、前記第３の経路切り替え要求メッセージに前記ＬＩＰＡ接続解放判定指示が含まれると、第４の経路切り替え要求メッセージにより移動管理エンティティに送信し、
前記移動管理エンティティは、前記ＬＩＰＡ接続解放判定指示に応じて前記ＵＥの前記ＬＩＰＡ  ＰＤＮ接続が解放される必要があるかどうかを判定することを特徴とする
請求項８に記載のＭＲＮ。
【請求項１２】
前記Ｌ−ＧＷは、前記ＭＲＮに内蔵されることを特徴とする
請求項８〜１１のいずれか１項に記載のＭＲＮ。
【発明の詳細な説明】
【技術分野】
【０００１】
本発明は、無線通信技術分野に関し、特にローカルＩＰアクセス接続解放方法及びＭＲＮに関する。
【背景技術】
【０００２】
第３世代パートナーシッププロジェクト（３ＧＰＰ：Ｔｈｅ  ３ｒｄ  Ｇｅｎｅｒａｔｉｏｎ  Ｐａｒｔｎｅｒｓｈｉｐ  Ｐｒｏｊｅｃｔ）標準化機構より導入されるロング・ターム・エボリューション−アドバンスト（ＬＴＥ−Ａｄｖａｎｃｅｄ）標準における無線中継（Ｗｉｒｅｌｅｓｓ  Ｒｅｌａｙ）技術において、中継ノード（ＲＮ：Ｒｅｌａｙ  Ｎｏｄｅ）は、そのセルにアクセスするユーザ装置（ＵＥ）に一般的な基地局（ｅＮＢ）と類似する機能及びサービスを提供し、さらに無線インターフェースを介して一般的なＵＥと類似する方式でそれにサービスするｅＮＢ（ドナーｅＮＢがＤｅＮＢと略称される）にアクセスする。
【０００３】
高速鉄道の大規模な建設及び運転に伴い、列車での通信需要が増加し続けている。しかし、高速で移動している列車がドップラーシフト、セルの頻繁な切り替え、高速鉄道列車車室侵入損失が大きいなどの影響を受けるので、従来のネットワーク基地局のカバレッジは、高速鉄道列車での通信品質要求を満たすことが難しい。したがって、高速鉄道列車に中継ノードを配置することが業界において提案され、このような中継ノードは、通常、移動中継（Ｍｏｂｉｌｅ  Ｒｅｌａｙ）と呼ばれる。図１を参照すると、図１は高速鉄道列車の場合でローカルＩＰアクセス（ＬＩＰＡ）の機能をサポートする移動中継システムの構造図であって、移動中継技術により、高速鉄道列車中のユーザ（ＵＥ１とＵＥ２）が相対的に静止する移動中継ノード（ＭＲＮ：Ｍｏｂｉｌｅ  Ｒｅｌａｙ  Ｎｏｄｅ）と通信することができ、ＭＲＮが高速鉄道列車の移動に伴って異なるＤｅＮＢの間で切り替えられることができ、それによって高速鉄道列車車室で大量のユーザが同時に切り替えることを避け、ＵＥとＭＲＮとの通信品質を保証し、その他、移動ＭＲＮとＤｅＮＢとのバックボーン接続を強化させることで、高速鉄道列車に存在する一連の問題を良好に解決できる。
【０００４】
移動中継が図２に示す構造（即ち標準化したＲ１０  ｆｉｘ  ｒｅｌａｙと同じ構造が通常、構造２と呼ばれる）を採用することができる場合、ＭＲＮのサービスゲートウェイ（Ｓ−ＧＷ）、パケットデータネットワークゲートウェイ（Ｐ−ＧＷ）と中継ゲートウェイ（ｒｅｌａｙ  ＧＷ）（Ｓ−ＧＷ、Ｐ−ＧＷとｒｅｌａｙ  ＧＷがＧＷと総称されることができる）は、それが初期アクセスするＤｅＮＢ（ｉｎｉｔｉａｌ  ＤｅＮＢと呼ばれる）に位置する。その中で、ＤｅＮＢにおけるｒｅｌａｙ  ＧＷの機能がＳ１、Ｘ２データとシグナリング提供プロキシー機能である。このような構造において、ＭＲＮがｉｎｉｔｉａｌ  ＤｅＮＢに近く離れる場合、ＵＥデータがまずｉｎｉｔｉａｌ  ＤｅＮＢに到達し、次にＳｅｒｖｉｎｇ  ＤｅＮＢにルーティングされ、経路が長く、遅延が大きい。したがって、ルーティング最適化スキームを考えることができ、ＭＲＮがＩｎｉｔｉａｌ  Ｄｅ  ＮＢに遠く離れる場合、ＭＲＮのＧＷがＭＲＮにサービスするＤｅＮＢに内蔵されたゲートウェイに切り替えられる。図３に示すように、ＭＲＮが切り替えられる前に、そのＧＷがＤｅＮＢ１に位置し、ＭＲＮがＤｅＮＢ３の基地局機能によってサービスされ、ＵＥデータがまずＤｅＮＢ１のＧＷ機能に到達し、次にＤｅＮＢ２によってＤｅＮＢ３の基地局機能にルーティングされ、ＭＲＮが切り替えプロセスにそのＧＷをＤｅＮＢ４に内蔵されたＧＷに再配置することができ、それによってＵＥのデータが直接ＤｅＮＢ４に到達することが可能となり、経路の長さを短縮させ、データの遅延を減少させる。
【０００５】
また、ユーザの需要をより良く満たし、ユーザ体験をさらに向上させるために、３ＧＰＰにおいてＬＴＥ  ＵＥに高速なローカルサービスを提供し、そしてエアインタフェースｂａｃｋｈａｕｌｌｉｎｋ（バックホールリンク）帯域幅リソースを節約するように、移動中継がＬＩＰＡ機能をサポートすることが考えられる。例えば、ＵＥは、ＭＲＮにおける同じ位置に設置されるローカルゲートウェイ（Ｌ−ＧＷ）を介してローカルＰＤＮネットワーク（パケットデータネットワーク）に接続されてマルチメディアリソースを取得し、またはローカルサーバを介してマルチユーザのソーシャルネットワークアプリケーション、例えばファイル共有、チャット、ゲームなどをサポートすることができる。図１に示すように、Ｌ−ＧＷ機能エンティティは、車室内に位置するＭＲＮに内蔵されることができる。Ｌ−ＧＷは、ＳＧｉインターフェースを介してＰＤＮネットワークに接続される。ＬＩＰＡ接続がある接続状態のＵＥに対して、Ｌ−ＧＷとＭＲＮの間に直接トンネルがあってＬＩＰＡサービスデータに用いられ、且つＭＲＮにおけるＬ−ＧＷがＤｅＮＢを介してＵＥのＳ−ＧＷとＳ５インタフェースコアネットワークトンネルを確立して、アイドル（ＩＤＬＥ）状態のＵＥのページングとＳ５シグナリング伝送に用いる。
【０００６】
従来のプロトコル仕様に従って、ＬＩＰＡ接続の移動性をサポートしなく、ホーム基地局（ＨｅＮＢ）の場合、ＬＩＰＡサービスを使用しているＵＥがＨｅＮＢから移動して離脱すると、ＨｅＮＢが当該ＵＥのために切り替えを開始する前に内部のシグナリングによりＬ−ＧＷをトリガしてＬＩＰＡ接続解放プロセスを開始する必要がある。そして、Ｓ１／Ｘ２の切り替えプロセスにおいて、ＭＭＥは、ＬＩＰＡ  ＰＤＮ接続が解放されないかどうかを検査する必要がある。具体的には、Ｘ２の切り替えプロセスにおいて、ＭＭＥは、経路切り替え要求（ｐａｔｈ  ｓｗｉｔｃｈ  ｒｅｑｕｅｓｔ）メッセージを受信した後、ＬＩＰＡ接続が解放されないことを検査した場合、ＭＭＥは、経路切り替え要求失敗（ｐａｔｈ  ｓｗｉｔｃｈ  ｒｅｑｕｅｓｔ  ｆａｉｌｕｒｅ）メッセージを送信し、そして当該ＵＥを離脱させる。ＭＲＮがＬＩＰＡ機能をサポートする場合、上記のルーティング最適化スキームを採用すると、ＭＲＮは、ＵＥにＵＥのＳ−ＧＷでの下りリンクＳ１経路を更新するように、経路切り替え要求（ｐａｔｈ  ｓｗｉｔｃｈ  ｒｅｑｕｅｓｔ）プロセスを開始する必要があって、このプロセスによりＵＥの離脱及びそのＬＩＰＡ接続の解放を引き起こす。高速鉄道の場合、ＵＥがＭＲＮに対して移動しなく、同じＭＲＮ及びＬ−ＧＷによってサービスされると、ＵＥの切り替えプロセス（ｐａｔｈ  ｓｗｉｔｃｈ  ｒｅｑｕｅｓｔプロセス）においてＬＩＰＡ  ＰＤＮ接続を解放する必要がない。したがって、移動中継がＬＩＰＡをサポートする場合、上記のＬＩＰＡ接続解放問題を解決する必要がある。
【発明の概要】
【発明が解決しようとする課題】
【０００７】
これを鑑みて、本発明の実施形態の主な目的は、移動中継がＬＩＰＡをサポートする場合のＬＩＰＡ接続解放問題を解決するように、ローカルＩＰアクセス接続解放方法及びＭＲＮを提供することにある。
【課題を解決するための手段】
【０００８】
上記目的を達成するために、本発明の実施形態の技術的なスキームは、以下のように実現される。
【０００９】
本発明の実施形態に係るローカルＩＰアクセス接続解放方法は、
移動中継ノードＭＲＮがユーザ装置（ＵＥ）のローカルＩＰアクセスパケットデータネットワーク（ＬＩＰＡ  ＰＤＮ）接続を解放する必要があるかどうかを判定し、必要がある場合、前記ＵＥの前記ＬＩＰＡ  ＰＤＮ接続を解放することをローカルゲートウェイ（Ｌ−ＧＷ）に要求し、必要がない場合、前記ＵＥの前記ＬＩＰＡ  ＰＤＮ接続を解放することを前記Ｌ−ＧＷに要求しないことを含む。
【００１０】
前記ＭＲＮが前記ＵＥの前記ＬＩＰＡ  ＰＤＮ接続を解放する必要があるかどうかを判定することは、
前記ＭＲＮが、前記ＵＥが他の基地局におけるセルから前記ＭＲＮにおけるセルへの切り替えプロセスにあるかどうかを判定し、ある場合、前記ＵＥの前記ＬＩＰＡ  ＰＤＮ接続を解放する必要があると確定し、ない場合、前記ＵＥの前記ＬＩＰＡ  ＰＤＮ接続を解放する必要がないと確定することを含む。
【００１１】
前記ＭＲＮが前記ＵＥの前記ＬＩＰＡ  ＰＤＮ接続を解放する必要があるかどうかを判定した後のステップとして、当該方法は、
前記ＭＲＮが前記ＵＥのために経路切り替え要求プロセスを開始し、前記ＵＥの前記ＬＩＰＡ  ＰＤＮ接続を解放する必要があるかどうかの判定結果を指示しない第１の経路切り替え要求メッセージをドナーｅＮＢに送信することと、
前記ドナーｅＮＢが、前記第１の経路切り替え要求メッセージを受信した後、第２の経路切り替え要求メッセージを移動管理エンティティに送信することと、
前記移動管理エンティティがベアラ変更要求メッセージ又はセッション作成要求メッセージであるＳ１１インターフェースメッセージを前記ＵＥのサービスゲートウェイに送信することとをさらに含む。
【００１２】
前記ＭＲＮが前記ＵＥの前記ＬＩＰＡ  ＰＤＮ接続を解放する必要があるかどうかを判定した後のステップとして、当該方法は、
前記ＭＲＮが前記ＵＥのために経路切り替え要求プロセスを開始し、そして第３の経路切り替え要求メッセージによりＬＩＰＡ接続解放判定指示を送信することと、
前記ドナーｅＮＢが、前記第３の経路切り替え要求メッセージを受信した後、前記第３の経路切り替え要求メッセージに前記ＬＩＰＡ接続解放判定指示が含まれると、第４の経路切り替え要求メッセージにより移動管理エンティティに送信することと、
前記移動管理エンティティが前記ＬＩＰＡ接続解放判定指示に応じて前記ＵＥの前記ＬＩＰＡ  ＰＤＮ接続が解放される必要があるかどうかを判定することとをさらに含む。
【００１３】
前記移動管理エンティティが前記ＬＩＰＡ接続解放判定指示に応じて前記ＵＥの前記ＬＩＰＡ  ＰＤＮ接続が解放される必要があるかどうかを判定することは、
前記移動管理エンティティにより受信された前記ＬＩＰＡ接続解放判定指示が前記ＵＥの前記ＬＩＰＡ  ＰＤＮ接続を解放する必要があることを指示する場合、前記ＵＥの前記ＬＩＰＡ  ＰＤＮ接続を解放する必要があると確定することと、
前記移動管理エンティティにより受信された前記ＬＩＰＡ接続解放判定指示が前記ＵＥの前記ＬＩＰＡ  ＰＤＮ接続を解放する必要がないことを指示し、又は前記移動管理エンティティが前記ＬＩＰＡ接続解放判定指示を受信しない場合、前記ＵＥの前記ＬＩＰＡ  ＰＤＮ接続を解放する必要がないと確定することとを含む。
【００１４】
前記移動管理エンティティが前記ＬＩＰＡ接続解放判定指示に応じて前記ＵＥの前記ＬＩＰＡ  ＰＤＮ接続が解放される必要があるかどうかを判定した後のステップとして、当該方法は、
前記ＵＥの前記ＬＩＰＡ  ＰＤＮ接続が解放されなく、且つ前記移動管理エンティティが前記ＵＥの前記ＬＩＰＡ  ＰＤＮ接続が解放される必要があると判定した場合、前記移動管理エンティティが前記経路切り替え要求を拒絶し、そして前記ＵＥを離脱させることと、
前記ＵＥの前記ＬＩＰＡ  ＰＤＮ接続が解放されなく、且つ前記移動管理エンティティが前記ＵＥの前記ＬＩＰＡ  ＰＤＮ接続が解放される必要がないと判定した場合、前記移動管理エンティティがベアラ変更要求メッセージ又はセッション作成要求メッセージであるＳ１１インターフェースメッセージを前記ＵＥのサービスゲートウェイに送信することとをさらに含む
【００１５】
前記Ｌ−ＧＷは、前記ＭＲＮに内蔵される。
【００１６】
本発明の実施形態に係る移動中継ノード（ＭＲＮ）は、
ユーザ装置（ＵＥ）のローカルＩＰアクセスパケットデータネットワーク（ＬＩＰＡ  ＰＤＮ）接続を解放する必要があるかどうかを判定するように配置される判定モジュールと、
前記判定モジュールが前記ＵＥの前記ＬＩＰＡ  ＰＤＮ接続を解放する必要があると判定した場合、前記ＵＥの前記ＬＩＰＡ  ＰＤＮ接続を解放することをローカルゲートウェイ（Ｌ−ＧＷ）に要求し、前記判定モジュールが前記ＵＥの前記ＬＩＰＡ  ＰＤＮ接続を解放する必要がないと判定した場合、前記ＵＥの前記ＬＩＰＡ  ＰＤＮ接続を解放することを前記Ｌ−ＧＷに要求しないように配置される実行モジュールと、を含む。
【００１７】
前記判定モジュールは、前記ＵＥが他の基地局におけるセルから前記ＭＲＮにおけるセルへの切り替えプロセスにあるかどうかを判定し、ある場合、前記ＵＥの前記ＬＩＰＡ  ＰＤＮ接続を解放する必要があると確定し、ない場合、前記ＵＥの前記ＬＩＰＡ  ＰＤＮ接続を解放する必要がないと確定するように配置される。
【００１８】
前記ＭＲＮは、前記判定モジュールが前記ＵＥの前記ＬＩＰＡ  ＰＤＮ接続を解放する必要があると判定した後、前記ＵＥのために経路切り替え要求プロセスを開始し、前記ＵＥの前記ＬＩＰＡ  ＰＤＮ接続を解放する必要があるかどうかの判定結果を指示しない第１の経路切り替え要求メッセージをドナーｅＮＢに送信するように配置される経路切り替え要求送信モジュールをさらに含み、
それに応じて、前記ドナーｅＮＢは、前記第１の経路切り替え要求メッセージを受信した後、第２の経路切り替え要求メッセージを移動管理エンティティに送信し、
前記移動管理エンティティは、ベアラ変更要求メッセージ又はセッション作成要求メッセージであるＳ１１インターフェースメッセージを前記ＵＥのサービスゲートウェイに送信する。
【００１９】
前記ＭＲＮは、前記判定モジュールが前記ＵＥの前記ＬＩＰＡ  ＰＤＮ接続を解放する必要があるかどうかを判定した後、前記ＵＥのために経路切り替え要求プロセスを開始し、そして第３の経路切り替え要求メッセージによりＬＩＰＡ接続解放判定指示を送信する経路切り替え要求送信モジュールをさらに含み、
それに応じて、前記ドナーｅＮＢは、前記第３の経路切り替え要求メッセージを受信した後、前記第３の経路切り替え要求メッセージに前記ＬＩＰＡ接続解放判定指示が含まれると、第４の経路切り替え要求メッセージにより移動管理エンティティに送信し、
前記移動管理エンティティは、前記ＬＩＰＡ接続解放判定指示に応じて前記ＵＥの前記ＬＩＰＡ  ＰＤＮ接続が解放される必要があるかどうかを判定する。
【００２０】
前記Ｌ−ＧＷは、前記ＭＲＮに内蔵される。
【００２１】
本発明の実施形態に係るローカルＩＰアクセス接続解放方法及びＭＲＮにおいて、ＭＲＮがユーザ装置（ＵＥ）のローカルＩＰアクセスパケットデータネットワーク（ＬＩＰＡ  ＰＤＮ）接続を解放する必要があるかどうかを判定し、必要がある場合、前記ＵＥの前記ＬＩＰＡ  ＰＤＮ接続を解放することをローカルゲートウェイ（Ｌ−ＧＷ）に要求し、必要がない場合、前記ＵＥの前記ＬＩＰＡ  ＰＤＮ接続を解放することを前記Ｌ−ＧＷに要求しない。本発明により、移動中継がＬＩＰＡをサポートする場合のＬＩＰＡ接続解放問題を解決し、移動中継がＬＩＰＡをサポートする場合の、ＭＲＮの切り替えプロセスにおけるＬＩＰＡ接続の連続性を保証し、さらにＵＥのＬＩＰＡサービスの連続性を保証し、ユーザのサービス品質とユーザ体験を向上させる。
【図面の簡単な説明】
【００２２】
【図１】高速鉄道の場合でＬＩＰＡ機能をサポートする移動中継システムの構造図である。
【図２】Ｒ１０固定中継システムの構造図である。
【図３】移動中継に採用されるＲ１０固定中継システム構造におけるルーティング最適化スキームを示す図である。
【図４】本発明の実施形態に係るローカルＩＰアクセス接続解放方法のフローチャートである。
【図５】本発明の実施形態一に係るローカルＩＰアクセス接続解放方法のフローチャートである。
【図６】本発明の実施形態二に係るローカルＩＰアクセス接続解放方法のフローチャートである。
【図７】本発明の実施形態三に係るローカルＩＰアクセス接続解放方法のフローチャートである。
【図８】本発明の実施形態四に係るローカルＩＰアクセス接続解放方法のフローチャートである。
【図９】本発明の実施形態に係るＭＲＮの構造模式図である。
【発明を実施するための形態】
【００２３】
以下、図面と具体的な実施形態を参照して本発明の技術的なスキームをさらに詳しく説明する。
【００２４】
本発明の実施形態に係るローカルＩＰアクセス接続解放方法は、図４に示すように、主に以下のステップを含む。
ステップ４０１、ＭＲＮは、ユーザ装置（ＵＥ）のローカルＩＰアクセスパケットデータネットワーク（ＬＩＰＡ  ＰＤＮ）接続を解放する必要があるかどうかを判定し、必要がある場合、ステップ４０２を実行し、必要がない場合、ステップ４０３を実行する。
ステップ４０２、ＭＲＮは、前記ＵＥのＬＩＰＡ  ＰＤＮ接続を解放することをローカルゲートウェイ（Ｌ−ＧＷ）に要求する。
ステップ４０３、ＭＲＮは、前記ＵＥのＬＩＰＡ  ＰＤＮ接続を解放することをＬ−ＧＷに要求しない。
【００２５】
ここで、前記ＭＲＮがＵＥのＬＩＰＡ  ＰＤＮ接続を解放する必要があるかどうかを判定することは、
前記ＭＲＮが、前記ＵＥが他の基地局におけるセルから前記ＭＲＮにおけるセルへの切り替えプロセスにあるかどうかを判定し、ある場合、前記ＵＥのＬＩＰＡ  ＰＤＮ接続を解放する必要があると確定し、ない場合、前記ＵＥのＬＩＰＡ  ＰＤＮ接続を解放する必要がないと確定することを含む。
【００２６】
前記ＭＲＮがＵＥのＬＩＰＡ  ＰＤＮ接続を解放する必要があるかどうかを判定した後のステップとして、当該方法は、
前記ＭＲＮがＵＥのために経路切り替え要求プロセスを開始し、前記ＵＥのＬＩＰＡ  ＰＤＮ接続を解放する必要があるかどうかの判定結果を指示しない第１の経路切り替え要求メッセージをドナーｅＮＢに送信することと、
前記ドナーｅＮＢが前記第１の経路切り替え要求メッセージを受信した後、第２の経路切り替え要求メッセージを移動管理エンティティに送信することと、
前記移動管理エンティティがベアラ変更要求メッセージ又はセッション作成要求メッセージであるＳ１１インターフェーメッセージを前記ＵＥのサービスゲートウェイに送信することとをさらに含む。
【００２７】
前記ＭＲＮがＵＥのＬＩＰＡ  ＰＤＮ接続を解放する必要があるかどうかを判定した後のステップとして、当該方法は、
前記ＭＲＮがＵＥのために経路切り替え要求プロセスを開始し、そして第３の経路切り替え要求メッセージによりＬＩＰＡ接続解放判定指示を送信することと、
前記ドナーｅＮＢが前記第３の経路切り替え要求メッセージを受信した後、前記第３の経路切り替え要求メッセージに前記ＬＩＰＡ接続解放判定指示が含まれると、第４の経路切り替え要求メッセージにより移動管理エンティティに送信することと、
前記移動管理エンティティが前記ＬＩＰＡ接続解放判定指示に応じて前記ＵＥのＬＩＰＡ  ＰＤＮ接続が解放される必要があるかどうかを判定することとをさらに含む。
【００２８】
ここで、第３の経路切り替え要求メッセージによりＬＩＰＡ接続解放判定指示を送信する場合、明示で指示してよく、暗示で指示してもよい。
前記移動管理エンティティが前記ＬＩＰＡ接続解放判定指示に応じて前記ＵＥのＬＩＰＡ  ＰＤＮ接続が解放される必要があるかどうかを判定することは、
前記移動管理エンティティにより受信された前記ＬＩＰＡ接続解放判定指示が前記ＵＥのＬＩＰＡ  ＰＤＮ接続を解放する必要があることを指示する場合、前記ＵＥのＬＩＰＡ  ＰＤＮ接続を解放する必要があると確定することと、
前記移動管理エンティティにより受信された前記ＬＩＰＡ接続解放判定指示が前記ＵＥのＬＩＰＡ  ＰＤＮ接続を解放する必要がないことを指示し、又は前記前記移動管理エンティティが前記ＬＩＰＡ接続解放判定指示を受信しない場合、前記ＵＥのＬＩＰＡ  ＰＤＮ接続を解放する必要がないと確定することとを含む。
【００２９】
前記移動管理エンティティが前記ＬＩＰＡ接続解放判定指示に応じて前記ＵＥのＬＩＰＡ  ＰＤＮ接続が解放される必要があるかどうかを判定した後のステップとして、当該方法は、
前記ＵＥのＬＩＰＡ  ＰＤＮ接続が解放されなく、且つ前記移動管理エンティティが前記ＵＥのＬＩＰＡ  ＰＤＮ接続が解放される必要があると判定した場合、前記移動管理エンティティが前記経路切り替え要求を拒絶し、そして前記ＵＥを離脱させることと、
前記ＵＥのＬＩＰＡ  ＰＤＮ接続が解放されなく、且つ前記移動管理エンティティが前記ＵＥのＬＩＰＡ  ＰＤＮ接続が解放される必要がないと判定した場合、前記移動管理エンティティがベアラ変更要求メッセージ又はセッション作成要求メッセージである前記Ｓ１１インターフェースメッセージを前記ＵＥのサービスゲートウェイに送信することとをさらに含む。
【００３０】
好ましくは、前記Ｌ−ＧＷは、前記ＭＲＮに内蔵される。
【００３１】
以下、具体的な実施形態を参照して本発明をさらに詳しく説明する。
【００３２】
本発明の第１の実施形態は、ＭＲＮのＸ２切り替えプロセスにおいて、ＭＲＮのＧＷが再配置された場合、ＭＲＮがＵＥのＬＩＰＡ  ＰＤＮ接続を解放する必要があるかどうかを判定する方法を説明している。当該実施形態において、ＭＲＮのソースＳ−ＧＷとソースＰ−ＧＷは、ソースＤｅＮＢに内蔵されてよく、ＤｅＮＢに位置せず、初期ＤｅＮＢ（Ｉｎｉｔｉａｌ  ＤｅＮＢ）に内蔵されてもよい。当該実施形態のプロセスは、以下のステップを含む。
【００３３】
ステップ５０１では、ＭＲＮは、測定プロセスにターゲットＤｅＮＢセルの信号を検出し、そして測定報告イベントをトリガして測定レポートをソースＤｅＮＢに送信する。
【００３４】
ステップ５０２では、ソースＤｅＮＢがＭＲＮをターゲットＤｅＮＢに切り替える必要があると確定した後、ソースＤｅＮＢとターゲットＤｅＮＢの間にＸ２インターフェースが存在すると判定し、且つ切り替えられたＭＲＮがＭＭＥを交換する必要がない場合、ソースＤｅＮＢは、ＭＲＮのためにＸ２切り替えを開始する。ソースＤｅＮＢは、Ｘ２インターフェース切り替え要求（ｈａｎｄｏｖｅｒ  ｒｅｑｕｅｓｔ）メッセージをターゲットＤｅＮＢに送信する。当該切り替え要求メッセージにはＭＲＮ及びＵＥＦのコンテキスト情報が含まれる。
【００３５】
ステップ５０３では、ターゲットＤｅＮＢは、切り替え要求（ｈａｎｄｏｖｅｒ  ｒｅｑｕｓｔ）メッセージを受信した後、ＭＲＮとＵＥのためにコンテキストを作成して関連するベアラリソースを予約した後、Ｘ２インターフェース切り替え要求メッセージをソースＤｅＮＢに送信する。
【００３６】
ステップ５０４では、ソースＤｅＮＢは、ターゲットＤｅＮＢからソースＤｅＮＢを介してＭＲＮに送信されるパススルーの切り替えコマンドメッセージが含まれるエアインタフェースメッセージ、即ち無線リソース制御（ＲＲＣ）接続再配置メッセージをＭＲＮに送信する。
【００３７】
ステップ５０５では、切り替え実行段階において、ＭＲＮは、ソースＤｅＮＢから離脱してターゲットＤｅＮＢと同期してＲＲＣ接続を確立する。ターゲットＤｅＮＢは、ＭＲＮから送信されたＲＲＣ再配置完了メッセージを受信した後、ＭＲＮのＭＭＥへ経路切り替え要求（ｐａｔｈ  ｓｗｉｔｃｈ  ｒｅｑｕｅｓｔ）メッセージを送信して、ＭＲＮのＳ１ユーザプレーンと制御プレーンパスを更新する。当該メッセージには、ターゲットＤｅＮＢに内蔵されたＳ−ＧＷとＰ−ＧＷ（ＭＲＮのターゲットＳ−ＧＷ／Ｐ−ＧＷ）のアドレスが含まれて、ＭＭＥがＭＲＮのＳ−ＧＷとＰ−ＧＷを再配置することを支援する。
【００３８】
ステップ５０６では、ＭＲＮのＭＭＥは、ターゲットＤｅＮＢから送信されたターゲットＳ−ＧＷ／Ｐ−ＧＷのアドレスに基づいてＭＲＮのＳ−ＧＷとＰ−ＧＷをターゲットＤｅＮＢに内蔵されたＳ−ＧＷとＰ−ＧＷに再配置する。ＭＲＮのＭＭＥは、作成すべきＭＲＮのＥＰＳベアラ情報とターゲットＰ−ＧＷ（ターゲットＤｅＮＢに内蔵されたＰ−ＧＷ）のアドレスが含まれるセッション作成要求メッセージをターゲットＤｅＮＢにおけるＳ−ＧＷへ送信する。
【００３９】
ステップ５０７では、ターゲットＳ−ＧＷは、ＭＲＮのコンテキストを作成し、そしてセッション作成要求メッセージをターゲットＰ−ＧＷへ送信する。
【００４０】
ステップ５０８では、ターゲットＰ−ＧＷは、ＭＲＮのコンテキストとＥＰＳベアラを作成した後、セッション作成応答メッセージをターゲットＳ−ＧＷへ返信する。
【００４１】
ステップ５０７とステップ５０８においてシグナリングは、いずれもターゲットＤｅＮＢにおける内部インターフェースメッセージである。
【００４２】
ステップ５０９では、ターゲットＳ−ＧＷは、セッション作成応答メッセージをＭＲＮのＭＭＥへ返信して、ＭＲＮのコンテキスト及びＥＰＳベアラ作成完了を確認する。
【００４３】
ステップ５１０では、ＭＲＮのＭＭＥは、経路切り替え要求確認メッセージをターゲットＤｅＮＢへ返信する。
【００４４】
ステップ５１１では、ＭＲＮは、ＵＥのＥ−ＵＴＲＡＮ無線アクセスベアラ（Ｅ−ＲＡＢ）コンテキストに関連識別子（ｃｏｒｒｅｌａｔｉｏｎ  ＩＤ）があるかどうかによって当該ＵＥのＬＩＰＡ  ＰＤＮ接続があるかどうかを判定することができる。当該ＵＥのＬＩＰＡ  ＰＤＮ接続がある場合、ＭＲＮは、当該ＬＩＰＡ  ＰＤＮ接続を解放する必要があるかどうかを判定する必要がある。具体的には、ＭＲＮは、当該ＵＥが他の基地局におけるセルから前記移動中継ノードにおけるセルへの切り替えプロセスにあるかどうかを判定し、ある場合、ＵＥのＬＩＰＡ  ＰＤＮ接続を解放する必要があると確定し、ない場合、ＵＥのＬＩＰＡ  ＰＤＮ接続を解放する必要がないと確定する。ＭＲＮがＵＥのＬＩＰＡ  ＰＤＮ接続を解放する必要があると確定した場合、ＭＲＮは、内部シグナリングにより、ＵＥのＬＩＰＡ  ＰＤＮ接続を解放することをそれに内蔵されたＬ−ＧＷに要求する。その後、Ｌ−ＧＷは、ＰＤＮ  ＧＷより開始されたベアラ非活性化プロセスを実行する。
【００４５】
ステップ５１２では、ＭＲＮは、各ＵＥに対して経路切り替え要求メッセージをターゲットＤｅＮＢに送信してＵＥのＳ１ユーザプレーンと制御プレーンパスを更新し、その中に下りリンクの切り替えすべきベアラ情報などを含む。
【００４６】
ステップ５１３では、ターゲットＤｅＮＢは、受信された、各ＵＥに対する経路切り替え要求メッセージに対してＳ１プロキシーを実行してＵＥのＭＭＥに送信する。
【００４７】
ステップ５１４では、本実施形態において、ＵＥのＭＭＥがＵＥのために１つのＳ−ＧＷを再度選択する必要がないと判定した場合、図５に示すＵＥのターゲットＳ−ＧＷがＵＥのソースＳ−ＧＷであり、ＵＥのＭＭＥは、当該ＵＥの各ＰＤＮ接続に対してベアラ変更要求メッセージをＵＥのターゲットＳ−ＧＷに送信する。
【００４８】
ＵＥのＭＭＥが１つのＳ−ＧＷを再度選択する必要がある場合、図５に示すＵＥのターゲットＳ−ＧＷとＵＥのソースＳ−ＧＷが異なるＳ−ＧＷであり、ＵＥのＭＭＥは、当該ＵＥの各ＰＤＮ接続に対してセッション作成要求メッセージをＵＥのターゲットＳ−ＧＷに送信する。
【００４９】
ステップ５１５では、ＵＥのターゲットＳ−ＧＷは、下りリンクＳ１接続相手のＩＰアドレスとＧＴＰトンネルのＴＥＩＤ情報を更新し、そして新しいＧＴＰ  ＴＥＩＤを割り当てて、下りリンク経路Ｓ１の切り替えを行う。
【００５０】
ステップ５１６では、ＵＥのターゲットＳ−ＧＷは、ベアラ変更応答メッセージをＭＭＥに返信する。
【００５１】
ステップ５１７では、ＭＭＥが、経路切り替え要求確認メッセージを、ＵＥに対するターゲットＤｅＮＢに送信する。
【００５２】
ステップ５１８では、ターゲットＤｅＮＢは、ＵＥに対する経路切り替え要求確認メッセージをＭＲＮに返信して、下りリンク経路Ｓ１切り替えの完了を確認する。
【００５３】
その後、ソースＤｅＮＢ及びソースＳ−ＧＷとソースＰ−ＧＷのＭＲ関連リソースの解放を行うことができる。
【００５４】
本発明の第２の実施形態は、ＭＲＮのＸ２切り替えプロセスにおいて、ＭＲＮのＧＷが再配置された場合、ＭＲＮがＵＥのＬＩＰＡ  ＰＤＮ接続を解放する必要があるかどうかを判定してＭＭＥに指示する方法を説明している。図６は、当該実施形態のプロセスを説明する。当該実施形態においてＭＲＮのソースＳ−ＧＷとソースＰ−ＧＷは、ソースＤｅＮＢに内蔵されてよく、ソースＤｅＮＢに位置せず、初期ＤｅＮＢ（Ｉｎｉｔｉａｌ  ＤｅＮＢ）に内蔵されてもよい。当該実施形態のプロセスは、主に以下のステップを含む。
【００５５】
ステップ６０１−６１１は、ステップ５０１−５１１と同じであるので、ここでの説明を省略する。
【００５６】
ステップ６１２では、ＭＲＮは、各ＵＥに対して経路切り替え要求メッセージをターゲットＤｅＮＢに送信してＵＥのＳ１ユーザプレーンと制御プレーンパスを更新し、その中に下りリンクの切り替えすべきベアラ情報などを含む。ＭＲＮは、当該経路切り替え要求メッセージによりＬＩＰＡ接続解放判定指示を送信することができる。当該ＬＩＰＡ接続解放判定指示は、ＬＩＰＡ  ＰＤＮ接続を解放する必要があるかどうかを指示することに用いられる。
【００５７】
ステップ６１３では、ターゲットＤｅＮＢは、受信された、各ＵＥに対する経路切り替え要求メッセージに対してＳ１プロキシーを実行してＵＥのＭＭＥに送信する。ターゲットＤｅＮＢにより受信された経路切り替え要求メッセージにＬＩＰＡ接続解放判定指示が含まれると、ターゲットＤｅＮＢからＭＭＥへ送信された経路切り替え要求メッセージにも当該ＬＩＰＡ接続解放判定指示が含まれる。
【００５８】
ステップ６１４では、当該ＵＥがＬＩＰＡ  ＰＤＮ接続を有する場合、ＭＭＥは、当該ＬＩＰＡ  ＰＤＮ接続が解放される必要があるかどうかを判定する。ＭＭＥにより受信されたＬＩＰＡ接続解放判定指示が前記ＵＥのＬＩＰＡ  ＰＤＮを解放する必要があることを指示する場合、前記ＵＥのＬＩＰＡ  ＰＤＮを解放する必要があると確定し、ＭＭＥは、当該経路切り替え要求を拒絶し、当該ＵＥを離脱させることができる。前記移動管理エンティティにより受信された前記ＬＩＰＡ接続解放判定指示が前記ＵＥのＬＩＰＡ  ＰＤＮ接続を解放する必要がないことを指示し、又は前記移動管理エンティティが前記ＬＩＰＡ接続解放判定指示を受信しない場合、前記ＵＥのＬＩＰＡ  ＰＤＮ接続を解放する必要がないと確定し、後続の経路切り替えプロセスを実行し続ける。
【００５９】
ステップ６１５−６１９は、ステップ５１４−５１８と同じであるので、ここでの説明を省略する。
【００６０】
本発明の第３の実施形態は、ＭＲＮのＳ１切り替えプロセスにおいて、ＭＲＮのＧＷが再配置された場合、ＭＲＮがＵＥのＬＩＰＡ  ＰＤＮ接続を解放する必要があるかどうかを判定する方法を説明している。図７は当該実施形態のプロセスを説明する。当該実施形態においてＭＲＮのソースＳ−ＧＷとソースＰ−ＧＷは、ソースＤｅＮＢに内蔵されてよく、ソースＤｅＮＢに位置せず、初期ＤｅＮＢ（Ｉｎｉｔｉａｌ  ＤｅＮＢ）に内蔵されてもよい。当該実施形態のプロセスは、主に以下のステップを含む。
【００６１】
ステップ７０１では、ＭＲＮは、測定プロセスにターゲットＤｅＮＢセルの信号を検出し、測定報告イベントをトリガして測定レポートをソースＤｅＮＢに送信する。
【００６２】
ステップ７０２では、ソースＤｅＮＢがＭＲＮをターゲットＤｅＮＢに切り替える必要があると確定した後、ソースＤｅＮＢとターゲットＤｅＮＢの間にＸ２インターフェースがないと判定し、又は切り替えられたＭＲＮがＭＭＥを交換する必要がある場合、ソースＤｅＮＢは、ＭＲＮのためにＳ１インターフェース切り替えを開始する。ソースＤｅＮＢは、Ｓ１インターフェース切り替え要求（ｈａｎｄｏｖｅｒ  ｒｅｑｕｉｒｅｄ）メッセージをＭＲＮのソースＭＭＥに送信する。
【００６３】
ステップ７０３では、ソースＭＭＥは、受信された切り替え要求メッセージにおけるターゲットＤｅＮＢの基地局識別子又はターゲットＴＡＩに基づいて１つの新しいＭＭＥを選択する必要があるかどうかを判定し、必要がある場合、この２つのパラメータに基づいてターゲットＭＭＥを選択し、そしてそれへ転送再配置要求メッセージを送信し、その中にソース基地局からターゲット基地局へのパススルーコンテナ、ターゲット基地局識別子、ターゲット位置エリア識別子、ＭＲＮのコンテキスト情報などの情報が含まれる。
【００６４】
新しいＭＭＥを選択する必要がない場合、ステップ７０３とステップ７１０をスキップする。
【００６５】
ステップ７０４では、ＭＲＮのターゲットＭＭＥは、作成が要求されるＥ−ＲＡＢの情報、ソース基地局からターゲット基地局へのパススルーコンテナなどが含まれるＳ１インターフェース切り替え要求メッセージをターゲットＤｅＮＢに送信する。
【００６６】
ステップ７０５では、ターゲットＤｅＮＢは、ＭＲＮとＵＥのためにコンテキストを作成してＭＲＮのベアラのためにリソースを予約した後、ＭＲＮのターゲットＭＭＥへ切り替え要求確認メッセージを送信する。当該メッセージにはターゲットＤｅＮＢにおけるターゲットＳ−ＧＷとターゲットＰ−ＧＷのＩＰアドレスが含まれてよく、ターゲットＭＭＥがＭＲＮのＳ−ＧＷとＰ−ＧＷを再配置することを支援する。
【００６７】
ステップ７０６では、ＭＲＮのターゲットＭＭＥは、ターゲットＤｅＮＢから送信されたターゲットＳ−ＧＷ／Ｐ−ＧＷのアドレスに基づいてＭＲＮのＳ−ＧＷとＰ−ＧＷをターゲットＤｅＮＢに内蔵されたＳ−ＧＷとＰ−ＧＷに再配置する。ＭＲＮのＭＭＥは、作成すべきＭＲＮのＥＰＳベアラ情報とターゲットＰ−ＧＷ（ターゲットＤｅＮＢに内蔵されたＰ−ＧＷ）のアドレスが含まれるセッション作成要求をターゲットＤｅＮＢにおけるＳ−ＧＷへ送信する。
【００６８】
ステップ７０７では、ターゲットＳ−ＧＷは、ＭＲＮのコンテキストを作成し、セッション作成要求メッセージをターゲットＰ−ＧＷへ送信する。
【００６９】
ステップ７０８では、ターゲットＰ−ＧＷは、ＭＲＮのコンテキストとＥＰＳベアラを作成した後、セッション作成応答メッセージをターゲットＳ−ＧＷへ返信する。ステップ７０７とステップ７０８においてシグナリングは、いずれもターゲットＤｅＮＢにおける内部インターフェースメッセージである。
【００７０】
ステップ７０９では、ターゲットＳ−ＧＷは、セッション作成応答メッセージをＭＲＮのＭＭＥへ返信して、ＭＲＮのコンテキスト及びＥＰＳベアラ作成完了を確認する。
【００７１】
ステップ７１０では、ＭＲＮのターゲットＭＭＥは、転送再配置応答メッセージをソースＭＭＥへ送信する。
【００７２】
ステップ７１１では、ＭＲＮのソースＭＭＥは、切り替えコマンドメッセージをソースＤｅＮＢへ送信する。
【００７３】
ステップ７１２では、ソースＤｅＮＢは、切り替え実行段階を行うことをＭＲＮに指示するように、ＲＲＣ再配置メッセージをＭＲＮに送信し、この場合にＭＲＮは、ソースＤｅＮＢから離脱してターゲットＤｅＮＢと同期してＲＲＣ接続を確立することができる。
【００７４】
ステップ７１３−７２０は、ステップ５１１−５１８と同じであるので、ここでの説明を省略する。
【００７５】
本発明の第４の実施形態は、ＭＲＮのＳ１切り替えプロセスにおいて、ＭＲＮのＧＷが再配置された場合、ＭＲＮがＵＥのＬＩＰＡ  ＰＤＮ接続を解放する必要があるかどうかを判定してＭＭＥに指示する方法を説明する。図８は当該実施形態のプロセスを説明する。当該実施形態において、ＭＲＮのソースＳ−ＧＷとソースＰ−ＧＷは、ソースＤｅＮＢに内蔵されてよく、ソースＤｅＮＢに位置せず、初期ＤｅＮＢ（Ｉｎｉｔｉａｌ  ＤｅＮＢ）に内蔵されてもよい。
【００７６】
当該実施形態と第３の実施形態との違いは、当該実施形態において、ＭＲＮがＬＩＰＡ  ＰＤＮ接続を解放する必要があるかどうかを判定した後でターゲットＤｅＮＢを介してＬＩＰＡ接続解放判定指示をＭＭＥに送信し、ＭＭＥが当該ＬＩＰＡ接続解放判定指示に応じてＵＥのＬＩＰＡ接続を解放する必要があるかどうかを判定することができることにある。しかしながら、第３の実施形態において、ＭＭＥは、ＵＥのＬＩＰＡ  ＰＤＮ接続を解放する必要があるかどうかの検査を行わない。
【００７７】
ステップ８０１−８１２はステップ７０１−７１２と同じであり、ステップ８１３−８２１はステップ６１１−６１９と同じであるので、ここでの説明を省略する。
【００７８】
前記図７及び図８に示す実施形態は、同様にＭＲＮのＭＭＥが切り替えプロセスに変化しない場合に適用し、ＭＭＥが変化しない場合、すべてのソースＭＭＥとターゲットＭＭＥとの間に伝送されるメッセージが省略されてよく、且つソースＭＭＥとターゲットＭＭＥの行為がすべて同じＭＭＥの行為であると説明すべきである。
【００７９】
本発明の実施形態に係るＭＲＮの実施形態は、図９に示すように、このＭＲＮは、
ＵＥのＬＩＰＡ  ＰＤＮ接続を解放する必要があるかどうかを判定するように配置される判定モジュール１０と、
前記判定モジュール１０がＵＥのＬＩＰＡ  ＰＤＮ接続を解放する必要があると判定した場合、前記ＵＥのＬＩＰＡ  ＰＤＮ接続を解放することをＬ−ＧＷに要求し、前記判定モジュール１０がＵＥのＬＩＰＡ  ＰＤＮ接続を解放する必要がないと判定した場合、前記ＵＥのＬＩＰＡ  ＰＤＮ接続を解放することをＬ−ＧＷに要求しないように配置される実行モジュール２０とを含む。
【００８０】
好ましくは、判定モジュール１０は、前記ＵＥが他の基地局におけるセルから前記ＭＲＮにおけるセルへの切り替えプロセスにあるかどうかを判定し、ある場合、前記ＵＥのＬＩＰＡ  ＰＤＮ接続を解放する必要があると確定し、ない場合、前記ＵＥのＬＩＰＡ  ＰＤＮ接続を解放する必要がないと確定するように配置される。
【００８１】
本発明の一つの好ましい実施形態として、前記ＭＲＮは、前記判定モジュール１０がＵＥのＬＩＰＡ  ＰＤＮ接続を解放する必要があるかどうかを判定した後、ＵＥのために経路切り替え要求プロセスを開始し、前記ＵＥのＬＩＰＡ  ＰＤＮ接続を解放する必要があるかどうかの判定結果を指示しない第１の経路切り替え要求メッセージを、ドナーｅＮＢに送信するように配置される経路切り替え要求送信モジュール３０をさらに含み、
それに応じて、前記ドナーｅＮＢは、前記第１の経路切り替えメッセージを受信した後、第２の経路切り替え要求メッセージを移動管理エンティティに送信し、
前記移動管理エンティティは、ベアラ変更要求メッセージ又はセッション作成要求メッセージであるＳ１１インターフェースメッセージを前記ＵＥのサービスゲートウェイに送信する。
【００８２】
本発明の別の好ましい実施形態として、前記ＭＲＮは、前記判定モジュール１０がＵＥのＬＩＰＡ  ＰＤＮ接続を解放する必要があるかどうかを判定した後、ＵＥのために経路切り替え要求プロセスを開始し、第３の経路切り替え要求メッセージによりＬＩＰＡ接続解放判定指示を送信するように配置される経路切り替え要求送信モジュール３０をさらに含み、
それに応じて、前記ドナーｅＮＢは、前記第３の経路切り替えメッセージを受信した後、前記第３の経路切り替え要求メッセージに前記ＬＩＰＡ接続解放判定指示が含まれると、第４の経路切り替え要求メッセージを移動管理エンティティに送信し、
前記移動管理エンティティは、前記ＬＩＰＡ接続解放判定指示に応じて前期ＵＥのＬＩＰＡ  ＰＤＮ接続が解放される必要があるかどうかを判定する。
【００８３】
好ましくは、前記Ｌ−ＧＷは、前記ＭＲＮに内蔵される。
【００８４】
前記判定モジュール１０、実行モジュール２０、経路切り替え要求送信モジュール３０は、いずれも前記ＭＲＮにおける中央プロセッサ（ＣＰＵ：Ｃｅｎｔｒａｌ  Ｐｒｏｃｅｓｓｉｎｇ  Ｕｎｉｔ）、マイクロプロセッサ（ＭＰＵ：Ｍｉｃｒｏ  Ｐｒｏｃｅｓｓｉｎｇ）、デジタル信号プロセッサ（ＤＳＰ：Ｄｉｇｉｔａｌ  Ｓｉｇｎａｌ  Ｐｒｏｃｅｓｓｏｒ）又はフィールドプログラマブルゲートアレイ（ＦＰＧＡ：Ｆｉｅｌｄ−Ｐｒｏｇｒａｍｍａｂｌｅ  Ｇａｔｅ  Ａｒｒａｙ）によって実現されることができる。
【００８５】
上述したように、本発明の実施形態により、移動中継がＬＩＰＡをサポートする場合のＬＩＰＡ接続解放問題を解決し、移動中継がＬＩＰＡをサポートする場合の、ＭＲＮの切り替えプロセスにおけるＬＩＰＡ接続の連続性を保証し、さらにＵＥのＬＩＰＡサービスの接続性を保証し、ユーザのサービス品質とユーザ体験を向上させる。
【００８６】
上記は、本発明の好ましい実施形態に過ぎなく、本発明の保護範囲を限定することに用いられるものではない。
【図１】
2016502796.tif 000003
【図２】
2016502796.tif 000004
【図３】
2016502796.tif 000005
【図４】
2016502796.tif 000006
【図５】
2016502796.tif 000007
【図６】
2016502796.tif 000008
【図７】
2016502796.tif 000009
【図８】
2016502796.tif 000010
【図９】
2016502796.tif 000011
【国際調査報告】
2016502796.tif 000012
2016502796.tif 000013
2016502796.tif 000014
2016502796.tif 000015